(57)【要約】【課題】光ディスクの面振れの影響を低減し、フォーカスサーボを安定にロックオンさせることができる光ディスク装置を提供する。【解決手段】本発明に係る光ディスク装置は、レーザ光を光ディスクの記録面に照射すると共に記録面からの反射光を検出する光ピックアップと、光ピックアップから出力される信号から、レーザ光の焦点と記録面との光軸方向の誤差をフォーカスエラー信号として生成するフォーカスエラー生成部と、光ディスクの面振れによって生じる周期的なフォーカスエラー信号の変動から、フォーカスエラー信号のゼロクロス点を検出し、検出したゼロクロス点から所定の遅延時間後にフォーカスサーボループを閉じてフォーカスサーボ処理を行うフォーカス制御部とを備えたことを特徴とする。【選択図】  図１
2008300002.tif 000002
【特許請求の範囲】
【請求項１】
レーザ光を光ディスクの記録面に照射すると共に前記記録面からの反射光を検出する光ピックアップと、
前記光ピックアップから出力される信号から、前記レーザ光の焦点と前記記録面との光軸方向の誤差をフォーカスエラー信号として生成するフォーカスエラー生成部と、
前記光ディスクの面振れによって生じる周期的な前記フォーカスエラー信号の変動から、前記フォーカスエラー信号のゼロクロス点を検出し、検出した前記ゼロクロス点から所定の遅延時間後にフォーカスサーボループを閉じてフォーカスサーボ処理を行うフォーカス制御部と、
を備えたことを特徴とする光ディスク装置。
【請求項２】
前記フォーカス制御部は、
検出した複数のゼロクロス点から前記フォーカスエラー信号の変動の周期を求め、求めた前記変動の周期の略１／４を前記遅延時間とする、
ことを特徴とする請求項１に記載の光ディスク装置。
【請求項３】
前記フォーカス制御部は、
前記光ピックアップが具備する対物レンズを前記光軸方向に駆動するフォーカス駆動信号を生成し、
前記フォーカス駆動信号は、
前記フォーカスサーボループを閉じる前は、前記フォーカスサーボの引き込み範囲を探すフォーカスサーチを行うための所定のパターンの繰り返し信号であり、
前記フォーカスサーボと閉じた後は、前記フォーカスサーボ処理を行うために前記フォーカスエラー信号に基づいて生成する信号である、
ことを特徴とする請求項１に記載の光ディスク装置。
【請求項４】
前記フォーカスサーチを行うための信号の周期は、前記光ディスクの面振れの周期よりも長い周期である、
ことを特徴とする請求項３に記載の光ディスク装置。
【請求項５】
（ａ）レーザ光を光ディスクの記録面に照射すると共に前記記録面からの反射光を光ピックアップで検出し、
（ｂ）前記光ピックアップから出力される信号から、前記レーザ光の焦点と前記記録面との光軸方向の誤差をフォーカスエラー信号として生成し、
（ｃ）前記光ディスクの面振れによって生じる周期的な前記フォーカスエラー信号の変動から、前記フォーカスエラー信号のゼロクロス点を検出し、検出した前記ゼロクロス点から所定の遅延時間後にフォーカスサーボループを閉じてフォーカスサーボ処理を行う、
ステップを備えたことを特徴とする光ディスク装置の制御方法。
【請求項６】
ステップ（ｃ）では、
検出した複数のゼロクロス点から前記フォーカスエラー信号の変動の周期を求め、求めた前記変動の周期の略１／４を前記遅延時間とする、
ことを特徴とする請求項５に記載の光ディスク装置の制御方法。
【請求項７】
ステップ（ｃ）は、
前記光ピックアップが具備する対物レンズを前記光軸方向に駆動するフォーカス駆動信号を生成するステップをさらに備え、
前記フォーカス駆動信号は、
前記フォーカスサーボループを閉じる前は、前記フォーカスサーボの引き込み範囲を探すフォーカスサーチを行うための所定のパターンの繰り返し信号であり、
前記フォーカスサーボと閉じた後は、前記フォーカスサーボ処理を行うために前記フォーカスエラー信号に基づいて生成する信号である、
ことを特徴とする請求項５に記載の光ディスク装置の制御方法。
【請求項８】
前記フォーカスサーチを行うための信号の周期は、前記光ディスクの面振れの周期よりも長い周期である、
ことを特徴とする請求項７に記載の光ディスク装置の制御方法。
【発明の詳細な説明】
【技術分野】
【０００１】
本発明は、光ディスク装置及びその制御方法に係り、特に、フォーカス制御を行う光ディスク装置及びその制御方法に関する。
【背景技術】
【０００２】
音声データや映像データ、或いは各種の情報の記録媒体として、ＣＤやＤＶＤ等の光ディスクが広く普及している。これらの光ディスクに記録されたデータを再生する場合、光ディスク装置では、スピンドルモータによって高速回転されている光ディスクに対して、光ピックアップから光ディスク上のトラックに対してレーザ光を照射し、その反射光を検出することでデータの読み出しを行っている。また、光ディスクにデータを記録する場合には、記録用のデータで変調されたレーザ光を光ディスク上のトラックに照射して、データの記録を行っている。
【０００３】
レーザ光によって再生又は記録動作を行うためには、レーザ光のスポットが光ディスクの記録面上に合焦状態で保たれなければならない。このため、光ディスク装置では、レーザ光を合焦させる対物レンズの位置を光軸方向に移動させ、レーザ光の焦点が常に記録面上に維持させるためのフォーカスサーボ機構を設けている。
【０００４】
フォーカスサーボ機構は、対物レンズを光軸方向に移動させるアクチュエータと、焦点と記録面とのずれを検出してフォーカスエラー信号を生成すると共にフォーカスエラー信号からアクチュエータを駆動するフォーカス駆動信号を生成するフォーカスサーボ回路系とを備えて構成されている。
【０００５】
フォーカスサーボ機構によって、高速回転する光ディスクに対してもレーザ光の焦点を常に記録面に位置させることができる。但し、フォーカスサーボをロックオンさせるためには、フォーカスサーボループを閉じるときにフォーカスサーボの引き込み可能範囲に焦点位置を予め移動させておく必要がある。
【０００６】
一般に、フォーカスサーボの引き込み可能範囲はいわゆるＳ字カーブと呼ばれる狭い領域に限定されるため、フォーカスサーボをロックさせるためには、レーザ光の焦点位置を所定の範囲だけ移動させて引き込み可能範囲をサーチするフォーカスサーチと呼ばれる動作を行っている。
【０００７】
ところで、スピンドルモータで高速回転される光ディスクは、一般に“面振れ”と呼ばれる記録面の上下方向の周期的な変動を伴って回転している。面振れは、光ディスクの回転周期に同期した光軸方向の変動である。
【０００８】
フォーカスサーボループが閉じられ、フォーカスサーボがロックしている状態では、面振れによって変動する記録面に対して焦点位置が追随するため、面振れによる記録面の位置変動は吸収できる。しかしながら、フォーカスサーボループがオープンの状態で行われるフォーカスサーチでは、面振れの影響を受ける。
【０００９】
多層記録型の光ディスクでは、レーザ光の焦点位置を特定の記録層から多の記録層へ移動する動作（フォーカスジャンプと呼ばれる）が行われるが、この動作においても移動後の記録層に対してフォーカスサーチが必要となる。特許文献１には、多層記録型の光ディスクにおいて行われるフォーカスジャンプ時の面振れの影響を低減する技術が開示されている。
【特許文献１】特開２０００−２０７７５０号公報
【発明の開示】
【発明が解決しようとする課題】
【００１０】
他方、近時は、複数の倍速再生モードを有する光ディスク装置も広く普及してきており、光ディスクの回転速度は上昇する傾向にある。特に、映像や音声を通常に視聴するのではなく、単にダビングするために再生する場合（リッピングと呼ばれる場合もある）には視聴用の再生速度に拘束されないため、短時間でリッピングを行うためには光ディスクの回転速度は速いほうが好ましい。このため、回転速度の高速化傾向は今後も継続することが予想される。
【００１１】
他方、光ディスクの回転速度が上昇すると、面振れの変位量が大きくなるばかりでなく、面振れの速度や加速度も上昇する。この結果、フォーカスサーボループを閉じようとしても引込が不安定になり、フォーカスサーボのロックオンに失敗するケースも発生する。
【００１２】
従来、フォーカスサーボのロックオンに失敗した場合には、光ディスクの回転速度を下げて再度ロックオンを試みる、或いは、フォーカスサーチの周期を遅くしロックオンを試みる、等のリトライ処理を行っていた。このため、フォーカスサーボのロックオンに時間を要する結果となっていた。
【００１３】
本発明は上記事情に鑑みてなされたものであり、光ディスクの面振れの影響を低減し、高速回転時においてもフォーカスサーボを安定にロックオンさせることができる光ディスク装置及びその制御方法を提供することを目的とする。
【課題を解決するための手段】
【００１４】
上記課題を解決するため、本発明に係る光ディスク装置は、請求項１に記載したように、レーザ光を光ディスクの記録面に照射すると共に前記記録面からの反射光を検出する光ピックアップと、前記光ピックアップから出力される信号から、前記レーザ光の焦点と前記記録面との光軸方向の誤差をフォーカスエラー信号として生成するフォーカスエラー生成部と、前記光ディスクの面振れによって生じる周期的な前記フォーカスエラー信号の変動から、前記フォーカスエラー信号のゼロクロス点を検出し、検出した前記ゼロクロス点から所定の遅延時間後にフォーカスサーボループを閉じてフォーカスサーボ処理を行うフォーカス制御部と、を備えたことを特徴とする。
【００１５】
また、上記課題を解決するため、本発明に係る光ディスク装置の制御方法は、請求項５に記載したように、（ａ）レーザ光を光ディスクの記録面に照射すると共に前記記録面からの反射光を光ピックアップで検出し、（ｂ）前記光ピックアップから出力される信号から、前記レーザ光の焦点と前記記録面との光軸方向の誤差をフォーカスエラー信号として生成し、（ｃ）前記光ディスクの面振れによって生じる周期的な前記フォーカスエラー信号の変動から、前記フォーカスエラー信号のゼロクロス点を検出し、検出した前記ゼロクロス点から所定の遅延時間後にフォーカスサーボループを閉じてフォーカスサーボ処理を行う、ステップを備えたことを特徴とする。
【発明の効果】
【００１６】
本発明に係る光ディスク装置及びその制御方法によれば、光ディスクの面振れの影響を低減し、高速回転時においてもフォーカスサーボを安定にロックオンさせることができる。
【発明を実施するための最良の形態】
【００１７】
本発明に係る光ディスク装置及びその制御方法の実施形態について、添付図面を参照して説明する。
【００１８】
（１）光ディスク装置の構成と全般動作
図１は、本実施形態に係る光ディスク装置１の構成例を示す図である。
【００１９】
図１に示した光ディスク装置１は、ＣＤやＤＶＤといった光ディスク１００に対して、記録と再生の双方が可能な構成を示しているが、本発明は再生専用の光ディスク装置に対しても適用可能である。
【００２０】
光ディスク１００には、螺旋状に溝が刻まれており、溝の凹部をグルーブ、凸部をランドと呼び、グループ又はランドの一周をトラックと呼ぶ。ユーザデータはこのトラック（グルーブのみ又はグルーブ及びランド）に沿って、強度変調されたレーザ光を照射してデータの符号長に対応するマークとスペースを形成することで記録される。
【００２１】
データ再生は、記録時より弱いリードパワー(read power)のレーザ光をトラックに沿って照射して、トラック上にあるマーク及びスペースからの反射光の強度の変化を検出することにより行われる。記録されたデータの消去は、前記リードパワーより強いイレースパワー(erase power)のレーザ光をトラックに沿って照射し、記録層を結晶化することにより行われる。
【００２２】
なお、再生専用の光ディスク１００、例えばＣＤ−ＲＯＭやＤＶＤ−ＲＯＭの場合、記録情報に対応するピットが予めトラック上に形成されており、ピットの有無によって変化する反射光の強弱によって再生信号を生成している。
【００２３】
光ディスク１００はスピンドルモータ２によって回転駆動される。スピンドルモータ２に設けられたロータリエンコーダ２ａからは回転角信号が出力される。回転角信号はスピンドルモータ２が１回転すると、例えば５パルス発生する。この回転角信号からスピンドルモータ２の回転角度及び回転数を判断でき、スピンドルモータ制御回路６２では、これらの情報に基づいてスピンドルモータ２の回転駆動制御を行っている。
【００２４】
光ディスク１００に対する情報の記録、再生は、光ピックアップ３によって行われる。光ピックアップ３は、送りモータ４とギア４ｂ及びスクリューシャフト４ａを介して連結されており、この送りモータ４は送りモータ制御回路５により制御される。送りモータ４が送りモータ制御回路５からの送りモータ駆動電流により回転することにより、光ピックアップ３が光ディスク１００の半径方向に移動する。
【００２５】
光ピックアップ３には、図示しないワイヤ或いは板バネによって支持された対物レンズ３０が設けられている。対物レンズ３０は駆動コイル３１の駆動によりフォーカシング方向（対物レンズの光軸方向）への移動が可能である。また、駆動コイル３２の駆動によりトラッキング方向（レンズの光軸と直交する方向）への移動が可能である。
【００２６】
レーザ駆動回路（記録部）６は、変調部７２にてＥＦＭ（Eight  to  Fourteen  Modulation）方式や８／１６変調方式等で変調された記録データ基づいて、書き込み用の駆動電流をレーザダイオード（レーザ発光素子）３３に供給する。変調部７２には、ホスト装置２００からＩ／Ｆ部７１を介して記録用のデータが供給される。
【００２７】
一方、レーザ駆動回路６は情報読取り時には、書き込み用の駆動電流よりも小さな読み取り用の駆動電流をレーザダイオード３３に提供する。
【００２８】
フォトダイオード等により構成されるパワー検出部３４（フロントモニタ（ＦＭ）と呼ぶ場合もある）はレーザ発光素子３３が発生するレーザ光の一部をハーフミラー３５により一定比率だけ分岐し、光量、即ち発光パワーに比例した信号を受光信号として検出する。検出した受光信号はレーザ駆動回路６にフィードバックされる。レーザ駆動回路６はパワー検出部３４からの受光信号に基づいて、所定のレーザパワーで発光するように、レーザ発光素子３３を制御する。
【００２９】
レーザ発光素子３３はレーザ駆動回路６から供給される駆動電流に応じてレーザ光を発生する。レーザ発光素子３３から発せられるレーザ光は、コリメータレンズ３６、ハーフプリズム３７、対物レンズ３０を介して光ディスク１００上に照射される。
【００３０】
一方、光ディスク１００からの反射光は、対物レンズ３０、ハーフプリズム３７、集光レンズ３８、およびシリンドリカルレンズ３９を介して、光検出器４０に導かれる。
【００３１】
光検出器４０は、例えば４分割の光検出セルから成り、これら光検出セルの検知信号は再生部６０のＲＦアンプ６４に出力される。ＲＦアンプ６４は光検知セルからの信号を処理し、ジャストフォーカスからの誤差を示すフォーカスエラー信号ＦＥ、レーザ光のビームスポット中心とトラック中心との誤差を示すトラッキングエラー信号ＴＥ、及び光検知セル信号の全加算信号である再生信号を生成する。
【００３２】
後述するフォーカスエラー信号ＦＥに着目した場合、主に光検出器４０とＲＦアンプ６４とでフォーカスエラー信号ＦＥを生成することになるため、光検出器４０とＲＦアンプ６４とがフォーカスエラー生成部を構成することになる。
【００３３】
フォーカスエラー信号ＦＥはフォーカス制御部８に供給される。フォーカス制御部８は、フォーカスサーボループが閉じている状態では、フォーカスエラー信号ＦＥに基づいてフォーカス駆動信号を生成する。フォーカス駆動信号はフォーカシング方向の駆動コイル３１に供給され対物レンズ３０を光軸方向に駆動する。この結果、レーザ光の焦点が光ディスク１００の記録面上に常時ジャストフォーカスとなるフォーカスサーボ制御が行われる。
【００３４】
一方、フォーカスサーボループが開いているオープンループの状態では、フォーカスサーチが行われる。一般にフォーカスサーボループの引き込み範囲はフォーカスエラー信号ＦＥが所謂Ｓ字カーブを示す限られた範囲である。そこで、オープンループの状態でレーザ光の焦点を所定の範囲でサーチし、引き込み範囲に入ったときにフォーカスサーボループを閉じてフォーカスサーボ処理を開始するようにしている。フォーカスサーチのときに駆動コイル３１に供給されるフォーカス駆動信号は、所定のサーチパターンに基づいて生成される信号である。フォーカスサーボループを閉じるときには、このサーチパターンに基づく信号からフォーカスエラー信号ＦＥに基づく信号へと切換えてフォーカス駆動信号を生成する。
【００３５】
一方、トラッキングエラー信号ＴＥはトラック制御回路９に供給される。トラック制御回路９はトラッキングエラー信号ＴＥに応じてトラック駆動信号を生成する。トラック制御回路９から出力されるトラック駆動信号は、トラッキング方向の駆動コイル３２に供給される。これによりレーザ光が光ディスク１００上に形成されたトラック上を常にトレースするトラッキングサーボ制御が行われる。
【００３６】
上記フォーカスサーボ制御およびトラッキングサーボ制御が行われることで、レーザ光の焦点は、光ディスク記録面のトラック上を精度良く追従することができる。この結果、光検出器４０の各光検出セルの出力信号の全加算信号ＲＦには、記録情報に対応して光ディスク１００のトラック上に形成されたマークやスペースからの反射光の変化が正確に反映され、品質の良い再生信号を得ることができる。
【００３７】
この再生信号（全加算信号ＲＦ）は、プリアンプ／等化器６５に入力され、ここで適宜の振幅に増幅されアナログ的な波形整形が行われる。プリアンプ／等化器６５の出力は、ＡＤ変換器６６にて、ＰＬＬ制御回路６１からの再生用クロック信号によってサンプリングされ、デジタルデータに変換される。
【００３８】
デジタル化された再生信号は、データ復号部６３に入力され、適宜の閾値によって２値化され記録データが復号される。この他、適応等化器とビタビ復号器とを組み合わせて、ＰＲＭＬ方式によるデータ復号を行う形態としても良い。
【００３９】
なお、所謂２値化スライス方式の場合には、Ａ／Ｄ変換器６６を設けずに、アナログ再生信号から直接復号データを得る方式としても良い。
【００４０】
復号データはエラー訂正部７５に入力され、ここでエラー訂正処理が行われた後Ｉ／Ｆ部７１を介してホスト装置２００に出力される。
【００４１】
（２）フォーカス制御部の動作
次に、本実施形態に係る光ディスク装置１の特徴であるフォーカス制御部８の動作について説明する。
【００４２】
図２は、本実施形態との比較のため、従来例に係るフォーカス制御部の動作、特にフォーカスサーボループの引き込み動作について説明する図である。
【００４３】
スピンドルモータ２によって高速回転する光ディスク１００は、完全に水平な状態を保って回転しているわけではなく、上下方向にわずかに面振れを起こしながら回転している。この面振れ現象は、レーザ光との関係で見ると、光ディスク１００の記録面の位置が対物レンズ３０の光軸方向に変位しながら回転する現象となる。
【００４４】
図２（ａ）は、この記録面の変位量の時間的変化の状況を例示する図である。図２（ａ）に示したように、面振れは、光ディスク１００の回転周期と同じ周期で、ほぼ正弦波状の変化を示す。
【００４５】
正弦波状に変化する面振れ量の変化率（以下、面触れ速度という）は、図２（ａ）の破線の丸で囲んだ位置、即ち、ゼロクロスする位置で最大値をとる。
【００４６】
一方、フォーカスサーボ処理を開始する前は、前述したようにフォーカスサーチを行っており、レーザ光の焦点位置を光軸方向に所定のサーチパターンで移動させ、フォーカスサーボループの引き込み範囲を探している。サーチパターンの具体的な諸元は特に限定するものではないが、例えば図２（ｂ）に示したように一定速度で光軸方向に往復移動させる三角波のサーチパターンが用いられる。フォーカスサーチによって焦点位置が引き込み範囲に移動され、引き込み範囲に移動された時点でフォーカスサーボループを閉じる処理が行われる。
【００４７】
従来、フォーカスサーボループを閉じるタイミングは、面触れの状態とは無関係に決定されていた。このため、図２に示したように、面触れ速度が大きなタイミング、即ちゼロクロス点近傍のタイミングでフォーカスサーボループを閉じる処理を行ってしまう場合があった。
【００４８】
面触れ速度が大きなときにフォーカスサーボループを閉じる処理を行うと、図２（ｃ）に例示したように、引き込み時のフォーカスエラー信号の変化が大きくなり、これに起因してフォーカスサーボループの引き込みに失敗する場合がある。即ち、フォーカスサーボループを閉じるタイミングと面触れ速度との関係によって、引き込みに失敗する場合と成功する場合があり、引き込み動作が不安定となってしまう事象が生じていた。
【００４９】
図３は、この問題を解決するために本実施形態に係る光ディスク装置１で行っている引き込み処理の概念を示す図である。
【００５０】
面振れ量は略正弦波状に変化するため、ゼロクロス点では面振れ速度は大きくなるものの、逆にピーク値やボトム値の近傍では面振れ速度は小さくなる。本実施形態ではこの点に着目し、面振れ量のピーク値或いはボトム値のタイミングを求め、常に面振れ速度が小さくなるこれらのタイミングでフォーカスサーボループを閉じる処理を行っている。この結果、フォーカスサーボループの引き込み時のフォーカスエラー信号の変化は常に小さなものとなり、安定した引き込みが可能となる。
【００５１】
なお、本実施形態においても、一定速度で光軸方向に往復移動させる三角波のサーチパターンが用いられる。
【００５２】
図４は、本実施形態に係るフォーカスサーボループ引き込み処理（光ディスク装置１の制御方法）の一例を示すフローチャートである。また、図５は、フォーカスサーボループ引き込み処理の具体例を面振れ量とフォーカスエラー信号ＦＥの波形を用いて説明する図である。
【００５３】
まず、低倍速回転の状態でフォーカスサーボループをクローズにする（ステップＳＴ１）。低倍速回転の状態では、面振れがあったとしてもクローズ処理時のフォーカスエラー信号ＦＥの変動はそれ程大きくないため安定な引き込み動作が可能である。
【００５４】
次に、回転速度を高倍速回転に変更する（ステップＳＴ２）。高倍速回転の状態でフォーカスサーボループがロックオフすると、その後のリカバリ処理における再度のクローズ処理時のフォーカスエラー信号ＦＥの変動は大きくなる可能性がある。ステップＳＴ３以降の処理はその変動を低減させるための処理である。
【００５５】
まず、ステップＳＴ３にて、フォーカスエラー信号ＦＥ、又はフォーカス駆動信号をモニタする。
【００５６】
図５（ａ）は、高倍速回転時の面振れ量の時間変化を示す図である。前述したように面振れ量はほぼ正弦波状に変化する。この変化に伴って、フォーカスサーボループのフォーカスエラー信号ＦＥ、又はフォーカス駆動信号も面振れ量の変化波形とほぼ相似な正弦波状の変動を示す。従って、図５（ａ）中の黒丸の位置がフォーカスエラー信号ＦＥ（又はフォーカス駆動信号）のゼロクロス点に相当する位置となる。
【００５７】
そこで、フォーカスエラー信号ＦＥ、又はフォーカス駆動信号がゼロクロスする点を検出し、検出したゼロクロス点の間隔から面振れ周期Ｔを求める（ステップＳＴ４、ステップＳＴ５）。さらに、面振れ周期Ｔから、ゼロクロス点からピーク値又はボトム値までの遅延時間Ｔｄを求める（ステップＳＴ６）。遅延時間Ｔｄは、例えばＴ／４である。
【００５８】
また、フォーカスサーボループがロックオフしたときに備えて、ゼロクロス点のタイミングを更新、保持しておく（ステップＳＴ７）。例えば、面振れ周期Ｔで巡回するカウンタを、ゼロクロス点を基準として巡回させることによってゼロクロス点のタイミングを更新、保持する。
【００５９】
ステップＳＴ８は、フォーカスサーボループのロックオン状態をモニタするステップである。フォーカスサーボループのロックオンが継続していれば、ステップＳＴ１０へ進み、フォーカスサーボ処理を維持する。
【００６０】
一方、フォーカスサーボループがロックオフした場合には、リカバリ処理として直ちにフォーカスサーボループのクローズ処理を行う必要がある。
【００６１】
本実施形態では、このクローズ処理のタイミングとして、現在更新、保持しているゼロクロス点のタイミングから先に求めた遅延時間Ｔｄだけ遅延させた時刻にクローズ処理を行うものとしている（ステップＳＴ９）。
【００６２】
この結果、フォーカスサーボループのクローズ処理を行うタイミングは、図５（ａ）中に破線の丸で示したように、面振れ量のピーク位置又はボトム位置となり、面振れ速度が最も小さくなるタイミングとなる。
【００６３】
このため、フォーカスサーボループを閉じたとき、図５（ｂ）に示したように引き込み時のフォーカスエラー信号ＦＥの変化は小さくなる。即ち、ゼロクロス点近傍でフォーカスサーボループを閉じたときに比べるとフォーカスエラー信号ＦＥが緩やかに変化する。
【００６４】
この結果、フォーカスサーボループの引き込みに失敗する可能性が低減され、安定した引き込みが可能となる。
【００６５】
以上説明してきたように、本実施形態に係る光ディスク装置１及びその制御方法によれば、光ディスク１００の面振れの影響を低減し、フォーカスサーボを安定にロックオンさせることができる。
【００６６】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００６７】
【図１】本発明の一実施形態に係る光ディスク装置の構成例を示す図。
【図２】本発明の比較例として、従来技術に係るフォーカスサーボループの引き込み動作の概念図。
【図３】本実施形態に係るフォーカスサーボループの引き込み動作の概念図。
【図４】本実施形態に係るフォーカスサーボループの引き込み処理例を示すフローチャート。
【図５】本実施形態に係るフォーカスサーボループの引き込み動作時におけるフォーカスエラー信号の波形例を示す図。
【符号の説明】
【００６８】
１  光ディスク装置
２  スピンドルモータ
３  光ピックアップ
８  フォーカス制御部
３０  対物レンズ
３１  駆動コイル
４０  光検出器（フォーカスエラー生成部）
６４  ＲＦアンプ（フォーカスエラー生成部）
【図１】
2008300002.tif 000003
【図２】
2008300002.tif 000004
【図３】
2008300002.tif 000005
【図４】
2008300002.tif 000006
【図５】
2008300002.tif 000007